(57)【要約】【課題】高級感を持たせることができ、蓋本体を任意の回転位置で止めることができるとともに、良好な開閉操作感が得られるシリンダ錠の鍵穴蓋構造を得る。【解決手段】シリンダ錠の鍵穴蓋構造において、シリンダ錠１３の鍵穴を表出させる開口部２９の穿設された化粧板２７と、化粧板２７に穿設された軸穴３１に遊嵌される支持軸３３と、支持軸３３に一端側が脱落不能に遊嵌されて回動自在となり他端側が開口部２９上に配置可能となった蓋部材３５と、化粧板背面２７ａと支持軸３３とに亘って設けられ支持軸３３を介して蓋部材３５を化粧板表面２７ｂに押圧する方向へ付勢する付勢手段４３と、開口部２９と軸穴３１との間の化粧板表面２７ｂに配設された凹部４９と、蓋部材３５の背面に突設され他端部が開口部２９上に配置された回転位置で凹部４９に嵌入するテーパ突起５１とを備えた。【選択図】      図１
2008038408.tif 000002
【特許請求の範囲】
【請求項１】
シリンダ錠の鍵穴を表出させる開口部の穿設された化粧板と、
前記化粧板に穿設された軸穴に遊嵌される支持軸と、
該支持軸に一端側が脱落不能に遊嵌されて回動自在となり他端側が開口部上に配置可能となった蓋部材と、
化粧板背面と前記支持軸とに亘って設けられ該支持軸を介して該蓋部材を化粧板表面に押圧する方向へ付勢する付勢手段と、
前記開口部と前記軸穴との間の化粧板表面に配設された凹部と、
前記蓋部材の背面に突設され前記他端部が開口部上に配置された回転位置で該凹部に嵌入するテーパ突起と、
を備えたことを特徴とするシリンダ錠の鍵穴蓋構造。
【請求項２】
前記蓋部材が、長径に沿う一端側の短径を、長径に沿う他端側の短径より小さくした涙型の略楕円形状で形成されたことを特徴とする請求項１記載のシリンダ錠の鍵穴蓋構造。
【請求項３】
前記蓋部材の表面部分が、金属材料からなる金属蓋であることを特徴とする請求項１又は請求項２記載のシリンダ錠の鍵穴蓋構造。
【請求項４】
前記蓋部材の背面部分が、前記金属蓋と略同一外形の合成樹脂板部材で形成されるとともに一端側が前記支持軸に貫通されて前記化粧板と前記金属蓋との間に配置され前記押圧で嵌合する凹凸手段によって金属蓋背面に一体的に組み合わさる樹脂裏蓋であることを特徴とする請求項３記載のシリンダ錠の鍵穴蓋構造。
【発明の詳細な説明】
【技術分野】
【０００１】
本発明は、シリンダ錠の鍵穴が蓋部材によって開閉されるシリンダ錠の鍵穴蓋構造に関する。
【背景技術】
【０００２】
鍵穴を表出させた状態で扉などに設けられるシリンダ錠には、このシリンダ錠の鍵穴表出面に、開閉自在な蓋が設けられるものがある。従来、この種の蓋は、円筒状のシリンダ錠の軸線方向一方の端面と、略同一外径の円板状に形成され、この蓋の中心から偏芯した位置を、シリンダ錠本体（外筒等）の一方の端面に回動自在に固定することで、回動軸を中心に蓋を回転させて、シリンダ錠の鍵穴を表出させたり、覆ったりすることを可能としている。また、従来の蓋は、板金部材などの一枚板からなり、比較的安価なものとして提供されていた。これにより、鍵穴が表出状態のままとなる一般的なシリンダ錠に比べ、簡単かつ安価に、鍵穴に異物などを挿入される悪戯を防止する効果を得ていた。
【発明の開示】
【発明が解決しようとする課題】
【０００３】
しかしながら、従来のシリンダ錠の鍵穴蓋構造は、蓋本体が単なる金属平板からなるなど簡易な構造が多く、重厚感を持たせ難く、見栄えの良くない問題があった。また、薄厚の蓋を手指で引っ掛けて回動操作するなどの構造もあり、操作性の悪い問題もあった。また、平坦面同士を摺接するため、他の物が当たれば蓋が回転し、鍵穴が容易に表出してしまう問題もあった。さらに、閉鎖時においても、単に平板の蓋と、シリンダ錠端面との平面同士で接触しているため、シリンダ錠の外周と一致するように蓋を閉鎖することが困難であり、その都度位置ずれ（重ねずれ）に注意をはらわなければならず、操作性の悪い問題もあった。
【０００４】
本発明は上記状況に鑑みてなされたもので、高級感を持たせることができ、蓋本体を任意の回転位置で止めることができるとともに、良好な開閉操作感が得られるシリンダ錠の鍵穴蓋構造を提供し、もって、見栄えの向上、操作性の向上を図ることを目的とする。
【課題を解決するための手段】
【０００５】
次に、上記の課題を解決するための手段を、実施の形態に対応する図面を参照して説明する。
本発明の請求項１記載のシリンダ錠の鍵穴蓋構造は、シリンダ錠１３の鍵穴２３を表出させる開口部２９の穿設された化粧板２７と、
前記化粧板２７に穿設された軸穴３１に遊嵌される支持軸３３と、
該支持軸３３に一端側が脱落不能に遊嵌されて回動自在となり他端側が開口部２９上に配置可能となった蓋部材３５と、
化粧板背面２７ａと前記支持軸３３とに亘って設けられ該支持軸３３を介して該蓋部材３５を化粧板表面２７ｂに押圧する方向へ付勢する付勢手段４３と、
前記開口部２９と前記軸穴３１との間の化粧板表面２７ｂに配設された凹部４９と、
前記蓋部材３５の背面に突設され前記他端部が開口部２９上に配置された回転位置で該凹部４９に嵌入するテーパ突起５１と、
を備えたことを特徴とする。
【０００６】
このシリンダ錠の鍵穴蓋構造では、シリンダ錠１３を表出させる際、蓋部材３５が支持軸３３を中心とした回転方向に押圧されると、テーパ突起５１が凹部４９からせり上がり、開口部２９が容易に開放状態となり、すなわち鍵穴２３の表出が行える。開口部２９を開放させた蓋部材３５は、付勢手段４３によって任意の回転位置で回転が規制され、これにより鍵穴２３に対する合鍵挿入・回転操作等を行うことができる。一方、開口部２９を閉鎖する際、蓋部材３５が閉鎖位置の直前になると、テーパ突起５１が凹部４９へ滑り落ちて、蓋部材３５が自動回転して閉止位置となり、すなわち鍵穴２３の閉塞が行われる。さらに、蓋部材３５が閉鎖した状態では、テーパ突起５１が凹部４９に嵌入し、扉１１に加わる振動や衝撃、或いは他部材が触れることによっても、蓋部材３５が容易に移動しない。
【０００７】
請求項２記載のシリンダ錠の鍵穴蓋構造は、前記蓋部材３５が、長径３９に沿う一端側の短径４１ａを、長径３９に沿う他端側の短径４１ｂより小さくした涙型の略楕円形状で形成されたことを特徴とする。
【０００８】
このシリンダ錠の鍵穴蓋構造では、開口部２９を塞ぐ蓋部材３５の他端側が、支持軸３３に支持される一端側より、短径４１ｂの大きい所謂涙型の略楕円形状となり、開口部２９すなわち鍵穴２３を覆う他端側のみが大面積で形成される。
【０００９】
請求項３記載のシリンダ錠の鍵穴蓋構造は、前記蓋部材３５の表面部分が、金属材料からなる金属蓋５３であることを特徴とする。
【００１０】
このシリンダ錠の鍵穴蓋構造では、蓋部材３５の表面部分が金属材料からなる金属蓋５３で形成され、特に耐久性や見栄えの良さが要求される蓋部材３５の表面部分のみが、高強度で且つ高級感を付与し易い鋳造法等によって製作可能となる。
【００１１】
請求項４記載のシリンダ錠の鍵穴蓋構造は、前記蓋部材３５の背面部分が、前記金属蓋５３と略同一外形の合成樹脂板部材で形成されるとともに一端側が前記支持軸３３に貫通されて前記化粧板２７と前記金属蓋５３との間に配置され前記押圧で嵌合する凹凸手段５７によって化粧板背面２７ａに一体的に組み合わさる樹脂裏蓋５５であることを特徴とする。
【００１２】
このシリンダ錠の鍵穴蓋構造では、化粧板表面２７ｂに摺接するのが樹脂裏蓋５５となり、スムースな滑り・回転操作が可能となる。また、付勢手段４３の付勢力で嵌合する凹凸手段５７によって金属蓋５３に樹脂裏蓋５５が組み合わされ、接着剤等による接着作業工程が省略される。
【発明の効果】
【００１３】
本発明に係る請求項１記載のシリンダ錠の鍵穴蓋構造によれば、シリンダ錠を表出させる開口部を化粧板に穿設し、この化粧板に支持軸を遊嵌し、他端側が開口部に配置可能な蓋部材を支持軸に脱落不能に遊嵌し、支持軸を介して蓋部材を化粧板表面に押圧する付勢手段を化粧板背面と支持軸とに亘って設け、化粧板表面に凹部を設けるとともに、蓋部材の背面にはこの凹部に嵌入するテーパ突起を突設したので、シリンダ錠の鍵穴を表出させる際には、蓋部材を回転方向に押圧することで、テーパ突起が凹部からせり上がり、開口部を容易に開放状態にでき、鍵穴を表出できる。そして、開口部を開放させた蓋部材は、任意の回転位置で止めることができ、これにより鍵穴２３に対する合鍵挿入・回転操作等を行うことができる。一方、開口部を閉鎖する際には、蓋部材が閉鎖位置の直前になると、テーパ突起が凹部へ滑り落ちて自動回転し、クリック感を生じさせた良好な閉動操作感を得ることができ、すなわち鍵穴２３の閉塞が確実に行われる。さらに、蓋部材が閉鎖した状態で、テーパ突起が凹部に嵌入し、また付勢部材の付勢力が生じているので、扉に加わる振動や衝撃、或いは他部材が触れることによる蓋部材の移動が生じず、蓋部材が半開き等になることを防止できる。この結果、蓋部材の開閉操作性を向上させながら、見栄えを良くすることができる。これに加え、シリンダ錠を、別体の化粧板で覆うので、シリンダ錠本体に支持軸保持構造を付与する必要がなく、シリンダ錠外筒等を特注生産せずに、化粧板のみの設計変更で既存の全てのシリンダ錠への対応を可能にできる。
【００１４】
請求項２記載のシリンダ錠の鍵穴蓋構造によれば、開口部を塞ぐ蓋部材の他端側が、支持軸に支持される一端側より、短径の大きい所謂涙型の略楕円形状となるので、鍵穴を含む開口部を覆う他端側のみを大面積とし、その他の部分を小面積とすることで、蓋部材を必要最小形状に形成でき、見栄えを良好にすることができる。
【００１５】
請求項３記載のシリンダ錠の鍵穴蓋構造によれば、蓋部材の表面部分が、金属材料からなる金属蓋であるので、高強度で且つ高級感のある表面部分を鋳造法等により容易に製作することができる。また、ヘアライン処理のなされたステンレス鋼板を用いることによっても、高強度で且つ凹凸のない高級感のある表面部分を容易に製作することができる。
【００１６】
請求項４記載のシリンダ錠の鍵穴蓋構造によれば、蓋部材の背面部分が、金属蓋と略同一外形の合成樹脂板部材で形成されるとともに、押圧で嵌合する凹凸手段によって金属蓋背面に一体的に組み合わさる樹脂裏蓋であるので、化粧板表面に摺接するのが樹脂裏蓋となり、スムースな滑りを可能にして開閉操作性を良好にできる。また、付勢手段の付勢力で嵌合する凹凸手段によってのみ金属蓋に樹脂裏蓋が組み合わされ、接着剤等による接着作業工程を省略して、製造コストを安価にできる。接着剤を用いた場合には、接着剤塗布量や塗布位置のバラツキにより蓋部材の表面部分と背面部分とに段差等が生じ易くなるが、接着剤を使用しない本構成によればこのような不具合の発生も未然に防止することができる。
【発明を実施するための最良の形態】
【００１７】
以下、本発明に係るシリンダ錠の鍵穴蓋構造の好適な実施の形態を図面を参照して詳細に説明する。
図１は本発明に係る鍵穴蓋構造の縦断面図、図２は図１の正面視を（ａ）、そのＡ−Ａ矢視を（ｂ）に表した拡大説明図、図３は図１の要部拡大分解斜視図、図４は蓋部材の分解斜視図である。
扉１１にはシリンダ錠１３の外筒１５がブラケット１７を介して固定され、シリンダ錠１３は軸線１９が扉面と垂直な方向に配置されている。シリンダ錠１３の外筒１５の内部には内筒２１が設けられ、内筒２１は先端面に鍵穴２３を有している。
【００１８】
シリンダ錠１３は、内筒２１と外筒１５との間に不図示の複数のタンブラーピンを内設し、タンブラーピンは合鍵非挿入時、外筒１５に対する内筒２１の回転を規制している。シリンダ錠１３は、鍵穴２３に不図示の合鍵が挿入されると、全てのタンブラーピンの分離可能部（シアーライン）が、内筒２１と外筒１５との境に一致し、回転規制が解除されることにより、外筒１５に対し内筒２１が回転可能となる。この内筒２１の回転は、内筒２１の後端面に突設されたテールピース２５を介して、扉１１に内蔵される不図示の錠箱内施解錠機構へと伝達される。
【００１９】
扉１１の表面には化粧板２７が取り付けられ、化粧板２７はシリンダ錠１３を覆っている。化粧板２７にはシリンダ錠１３の内筒２１の端面を表出させる開口部２９が穿設されている。本実施の形態では、化粧板２７が、扉１１の表面材の一部である場合を例に説明する。つまり、扉内に内蔵されたシリンダ錠１３の鍵穴２３が、扉表面材（化粧板２７）に開口された開口部２９から表出される構造となっている。なお、後述するように、化粧板２７は、扉表面材とは別の部材で、扉表面から突出して取り付けられる面付けタイプの台座や、プッシュ・プル錠の台座、錠の周囲に配置されるエスカチオン等であってもよい。
【００２０】
したがって、化粧板２７に覆われたシリンダ錠１３は、鍵穴２３の設けられた内筒２１の端面のみが化粧板２７の開口部２９で表出するようになっている。化粧板２７には開口部２９の近傍に軸穴３１が穿設されている。軸穴３１には支持軸３３が直径方向に僅かに可動可能に嵌合、好ましくは遊嵌されている。
【００２１】
支持軸３３には蓋部材３５の一端側が脱落不能に遊嵌されて回動自在となり、蓋部材３５は他端側が開口部２９上に配置可能となっている。蓋部材３５は、支持軸３３が貫通する貫通穴３７より大径の頭部３３ａが支持軸３３に設けられることで、支持軸３３から脱落不能となっている。
【００２２】
ここで、蓋部材３５は、長径３９に沿う一端側の短径４１ａを、長径３９に沿う他端側の短径４１ｂより小さくした涙型の略楕円形状で形成されている。このように、開口部２９を塞ぎ、鍵穴２３を覆い隠す蓋部材３５の他端側が、支持軸３３に支持される一端側より、短径４１ｂの大きい所謂涙型の略楕円形状となるので、開口部２９を覆う他端側のみを大面積とし、その他の部分を小面積とすることで、蓋部材３５を必要最小形状に形成でき、見栄えを良好にしている。
【００２３】
化粧板２７の背面２７ａと支持軸３３とに亘っては付勢手段４３が設けられ、付勢手段４３は支持軸３３を介して蓋部材３５を化粧板２７の表面２７ｂに押圧する方向へ付勢する。付勢手段４３は、図４に示すように、支持軸３３の先端に固定されるＥリング４３ａと、その頭部３３ａ側で挿通されるワッシャー４３ｂと、さらにその頭部３３ａ側で挿通されるコイルスプリング４３ｃとからなる。
【００２４】
したがって、図２に示すように、化粧板２７を貫通した支持軸３３の先端にＥリング４３ａが固定され、このＥリング４３ａ及びワッシャー４３ｂと化粧板２７の背面２７ａとの間に圧縮されたコイルスプリング４３ｃが挟入されることで、支持軸３３は、図２（ｂ）の矢印ａ方向へと付勢され、これにより支持軸３３の頭部３３ａを介して蓋部材３５が化粧板２７の表面２７ｂへ押圧されるようになっている。
【００２５】
ここで、ワッシャー４３ｂと化粧板２７の背面２７ａとの間には僅かな間隙４７が形成されている。つまり、支持軸３３は、ワッシャー４３ｂが背面２７ａに当接するまでの間隙４７の分、コイルスプリング４３ｃの付勢力に抗して矢印ａと反対方向へ移動可能となっている。
【００２６】
化粧板２７の表面２７ｂには開口部２９と軸穴３１との間に凹部４９が形成されている。この凹部４９は、表面２７ｂに垂直な軸線方向が同一内径となる円柱空間形状に形成され、或いは開口直径が底面直径より大きいテーパ状に形成されてもよい。
【００２７】
蓋部材３５の背面にはテーパ突起５１が突設される。このテーパ突起５１は略円錐台形状で、テーパ突起５１は蓋部材３５の他端部が開口部２９上に配置された回転位置で、この凹部４９に嵌入するようになっている。
【００２８】
本実施の形態において、蓋部材３５は、表面部分が、金属材料からなる金属蓋５３によって形成される。蓋部材３５の表面部分が、金属蓋５３で形成されることにより、特に耐久性や見栄えの良さが要求される表面部分が、高強度で且つ高級感を付与し易い鋳造法等によって製作可能となっている。また、蓋部材３５の表面部分は、金属蓋５３で形成されることにより、焼き付け塗装等の装飾や、ヘアライン処理のなされたステンレス鋼板を用いることもでき、これによっても、高強度で且つ凹凸のない高級感のある表面部分を容易に製作できる。
【００２９】
表面部分が金属蓋５３で形成された蓋部材３５は、背面部分が金属蓋５３と略同一外形の樹脂裏蓋５５によって形成されている。樹脂裏蓋５５は、図４に示すように、一端側が支持軸３３に貫通され、化粧板２７と金属蓋５３との間に配置される。本実施の形態においては、上記のテーパ突起５１が、この樹脂裏蓋５５の背面に突設されている（図３参照）。
【００３０】
樹脂裏蓋５５と金属蓋５３との間には凹凸手段５７が形成されている。凹凸手段５７は、例えば樹脂裏蓋５５に突設した複数、本実施の形態では２つの突起５７ａ，５７ａと、金属蓋５３に形成されてこれら突起５７ａ，５７ａが嵌入する係合穴５７ｂ，５７ｂとで構成される。樹脂裏蓋５５と金属蓋５３とは、支持軸３３を介して金属蓋５３が化粧板２７に向かって付勢手段４３による付勢力である押圧されることで、この押圧力により凹凸手段５７が互いに嵌合し、一体的に組み合わさるようになっている。
【００３１】
突起５７ａ，５７ａと係合穴５７ｂ，５７ｂとが嵌合した樹脂裏蓋５５と金属蓋５３とは、相対回転が規制され、支持軸３３を中心として一体回転される。一方、支持軸３３からＥリング４３ａ，ワッシャー４３ｂが外され、コイルスプリング４３ｃが除去された押圧力消失時には、金属蓋５３と樹脂裏蓋５５とが容易に分離可能となっている。
【００３２】
このように、蓋部材３５は、金属蓋５３と、略同一外形の樹脂裏蓋５５とが、押圧で嵌合する凹凸手段５７によって一体的に組み合わせられているので、化粧板２７の表面２７ｂに摺接する背面部分が樹脂裏蓋５５となり、化粧板２７の表面２７ｂに対するスムースな滑りを可能にして、開閉操作性を良好にしている。
【００３３】
また、コイルスプリング４３ｃの押圧で嵌合する凹凸手段５７によってのみ金属蓋５３に樹脂裏蓋５５が組み合わされるので、接着剤等による接着作業工程を省略して、製造コストを安価にできる。接着剤を用いた場合には、接着剤塗布量や塗布位置のバラツキにより蓋部材３５の表面部分と背面部分とに段差等が生じ易くなるが、接着剤を使用しない本構成によればこのような不具合の発生も未然に防止することができる。
【００３４】
次に、上記のように構成された鍵穴蓋構造の作用について説明する。
図５は蓋部材の回転開始時の正面視を（ａ）、Ｂ−Ｂ矢視における軸傾斜回転時を（ｂ）、Ｂ−Ｂ矢視における軸水平回転時を（ｃ）に表した動作説明図、図６は蓋部材の開放回転完了時の正面視を（ａ）、Ｃ−Ｃ矢視を（ｂ）に表した動作説明図である。
このように構成されたシリンダ錠の鍵穴蓋構造は、蓋部材３５が所定の厚みを有することとなり、従来の板状の蓋に比べ高級感を持たせ易くなる。そして、シリンダ錠１３の鍵穴２３を表出させる際には、図５（ａ）に示すように、蓋部材３５の他端側の側面を、化粧板２７の表面２７ｂと平行な方向へと押し回す。
【００３５】
蓋部材３５が、支持軸３３を中心とした回転方向に押圧されると、テーパ突起５１が凹部４９からせり上がり、蓋部材３５の他端側が化粧板２７の表面２７ｂから若干浮上することとなる。この際、軸穴３１と支持軸３３、及び支持軸３３と貫通穴３７とが共に遊嵌状態であるので、図５（ｂ）に示すように、支持軸３３が軸穴３１に対して傾斜することで、蓋部材３５の他端側が化粧板２７の表面２７ｂから浮上し、或いは図５（ｃ）に示すように、支持軸３３が水平状態であっても、支持軸３３に対して蓋部材３５のみが傾斜することで、蓋部材３５の他端側が化粧板２７の表面２７ｂから浮上可能となる。
【００３６】
つまり、このような遊嵌構造を重複して備えることにより、蓋部材３５の始動に伴うせり上がりが容易に行えるようになっている。これにより、良好な操作感が得られる。
【００３７】
図６（ａ）に示すように、開口部２９を開放した蓋部材３５は、コイルスプリング４３ｃによってテーパ突起５１が化粧板２７の表面２７ｂに押圧されることで、任意の回転位置で回転が規制される。なお、この状態においても、蓋部材３５は、コイルスプリング４３ｃの付勢力によって化粧板２７の表面２７ｂに押圧されるので、金属蓋５３と樹脂裏蓋５５とが分離されることがない。
【００３８】
一方、鍵穴２３に合鍵が挿入されて施解錠操作が完了した後には、再び蓋部材３５が手指により回転され、開口部２９を閉鎖する。この際、蓋部材３５が閉鎖位置の直前になると、テーパ突起５１が凹部４９へ滑り落ちて、蓋部材３５が自動回転して閉止位置へ移動される。また、蓋部材３５が閉鎖した状態では、テーパ突起５１が凹部４９に嵌入し、扉１１に加わる振動や衝撃、或いは他部材が触れることによっても、蓋部材３５が容易に移動しない。
【００３９】
したがって、上記のシリンダ錠の鍵穴蓋構造によれば、シリンダ錠１３を表出させる開口部２９を化粧板２７に穿設し、この化粧板２７に支持軸３３を遊嵌し、他端側が開口部２９に配置可能な蓋部材３５を支持軸３３に脱落不能に遊嵌し、支持軸３３を介して蓋部材３５を化粧板２７の表面２７ｂに押圧するコイルスプリング４３ｃを化粧板２７の背面２７ａと支持軸３３とに亘って設け、化粧板２７の表面２７ｂに凹部４９を設けるとともに、蓋部材３５の背面にはこの凹部４９に嵌入するテーパ突起５１を突設したので、シリンダ錠１３を表出させる際には、蓋部材３５を回転方向に押圧することで、テーパ突起５１が凹部４９からせり上がり、開口部２９を容易に開放状態にできる。
【００４０】
そして、開口部２９を開放させた蓋部材３５は、任意の回転位置で止めることができる。一方、開口部２９を閉鎖する際には、蓋部材３５が閉鎖位置の直前になると、テーパ突起５１が凹部４９へ滑り落ちて自動回転し、クリック感を生じさせた良好な閉動操作感を得ることができる。
【００４１】
さらに、蓋部材３５が閉鎖した状態で、テーパ突起５１が凹部４９に嵌入しているので、扉１１に加わる振動や衝撃、或いは他部材が触れることによる蓋部材３５の移動が生じず、蓋部材３５が半開き等になることを防止できる。この結果、蓋部材３５の開閉操作性を向上させながら、見栄えを良くすることができる。これに加え、シリンダ錠１３を、別体の化粧板２７で覆うので、シリンダ錠１３本体に支持軸保持構造を付与する必要がなく、シリンダ錠外筒等を特注生産せずに、化粧板２７のみの設計変更で既存の全てのシリンダ錠１３への対応を可能にできる。
【００４２】
図７は本発明の他の適用例を表した縦断面図である。
なお、上記の化粧板２７は、扉１１の表面部材として説明したが、この他、化粧板２７は、図７に示すように、扉１１の表面から突出して付設されるプッシュ・プル錠の台座６１、或いは錠ケース、エスカチオン等であってもよい。これにより、例えばプッシュ・プル錠の台座６１を変更することで、シリンダ錠１３の鍵穴２３が表出されたままの状態であった従来の台座を、高級感ある蓋付構造の台座６１へと変更可能となる。
【図面の簡単な説明】
【００４３】
【図１】本発明に係る鍵穴蓋構造の縦断面図である。
【図２】図１の正面視を（ａ）、そのＡ−Ａ矢視を（ｂ）に表した拡大説明図である。
【図３】図１の要部拡大分解斜視図である。
【図４】蓋部材の分解斜視図である。
【図５】蓋部材の回転開始時の正面視を（ａ）、Ｂ−Ｂ矢視における軸傾斜回転時を（ｂ）、Ｂ−Ｂ矢視における軸水平回転時を（ｃ）に表した動作説明図である。
【図６】蓋部材の開放回転完了時の正面視を（ａ）、Ｃ−Ｃ矢視を（ｂ）に表した動作説明図である。
【図７】本発明の他の適用例を表した縦断面図である。
【符号の説明】
【００４４】
１３…シリンダ錠
２３…鍵穴
２７…化粧板
２７ａ…化粧板背面
２７ｂ…化粧板表面
２９…開口部
３１…軸穴
３３…支持軸
３５…蓋部材
３９…長径
４１ａ，４１ｂ…短径
４３…付勢手段
４９…凹部
５１…テーパ突起
５３…金属蓋
５５…樹脂裏蓋
５７…凹凸手段
【図１】
2008038408.tif 000003
【図２】
2008038408.tif 000004
【図３】
2008038408.tif 000005
【図４】
2008038408.tif 000006
【図５】
2008038408.tif 000007
【図６】
2008038408.tif 000008
【図７】
2008038408.tif 000009